(57)【要約】【課題】限られたスペースに部品を適正に配置することにより、作業性を高め、電磁ノイズを低減する。【解決手段】電源端子１５は、外部電源からの電源配線３０を接続する。非常電源回路１７は、通常時に、蓄電池１６を充電し、停電時に、上記蓄電池に蓄積された電力を出力する。点灯回路１８は、外部電源及び非常電源回路１７から供給される電力を、光源を点灯する電力に変換する。光源端子（ソケット１３）は、光源を有するランプを接続する。配線１９１は、電源端子１５と非常電源回路１７とを電気接続する。配線１９４は、非常電源回路１７と上記蓄電池１６とを電気接続する。配線１９５は、点灯回路１８と光源端子とを電気接続する。配線１９１と、配線１９４及び配線１９５とは、交差していない。【選択図】図３
2014096246.tif 000002
【特許請求の範囲】
【請求項１】
外部電源からの配線を接続する電源端子と、
蓄電池と、
上記外部電源から電力が供給されている場合に、上記蓄電池を充電し、上記外部電源から電力が供給されていない場合に、上記蓄電池に蓄積された電力を出力する非常電源回路と、
上記外部電源及び上記非常電源回路から供給される電力を、光源を点灯する電力に変換する点灯回路と、
上記光源を有するランプを接続する光源端子と、
上記電源端子と上記非常電源回路とを電気接続する第一の配線と、
上記非常電源回路と上記蓄電池とを電気接続する第二の配線と、
上記点灯回路と上記光源端子とを電気接続する第三の配線と
を有し、
上記第一の配線と、上記第二の配線及び上記第三の配線とは、交差していない
ことを特徴とする照明装置。
【請求項２】
上記照明装置は、長尺形状の筐体を有し、
上記筐体の一方の端から他方の端へ向けて、上記電源端子、上記非常電源回路、上記光源端子の順で配置されている
ことを特徴とする請求項１に記載の照明装置。
【請求項３】
上記点灯回路は、上記非常電源回路と上記光源端子との間、または、上記電源端子と上記非常電源回路との間に配置されている
ことを特徴とする請求項２に記載の照明装置。
【請求項４】
上記蓄電池は、上記非常電源回路と上記光源端子との間、または、上記電源端子より外側に配置されている
ことを特徴とする請求項２または請求項３に記載の照明装置。
【請求項５】
上記筐体は、長手方向に離れて設けられた２つの取り付け穴を有し、
上記電源端子及び上記非常電源回路及び上記点灯回路は、上記２つの取り付け穴の間に配置され、
上記蓄電池は、上記２つの取り付け穴より外側に配置されている
ことを特徴とする請求項２乃至請求項４のいずれかに記載の照明装置。
【請求項６】
上記筐体は、上記外部電源からの配線を引き込む電源穴を有し、
上記電源穴は、上記筐体の端または略中央に設けられている
ことを特徴とする請求項２乃至請求項５のいずれかに記載の照明装置。
【発明の詳細な説明】
【技術分野】
【０００１】
この発明は、照明装置に関する。
【背景技術】
【０００２】
照明装置を小型化するため、限られたスペースに部品を配置する技術がある。
【先行技術文献】
【特許文献】
【０００３】
【特許文献１】特開２０１１−２０４４９３号公報
【発明の概要】
【発明が解決しようとする課題】
【０００４】
部品間の距離が近すぎると、照明装置の組み立て作業や取り付け作業の効率が落ち、電磁結合によるノイズの影響が大きくなり、温度上昇により寿命が短くなるなどの不具合が発生する場合がある。
この発明は、例えば、限られたスペースに部品を適正に配置することにより、作業性を高め、電磁ノイズを低減することを目的とする。
【課題を解決するための手段】
【０００５】
この発明にかかる照明装置は、外部電源からの配線を接続する電源端子と、蓄電池と、上記外部電源から電力が供給されている場合に、上記蓄電池を充電し、上記外部電源から電力が供給されていない場合に、上記蓄電池に蓄積された電力を出力する非常電源回路と、上記外部電源及び上記非常電源回路から供給される電力を、光源を点灯する電力に変換する点灯回路と、上記光源を有するランプを接続する光源端子と、上記電源端子と上記非常電源回路とを電気接続する第一の配線と、上記非常電源回路と上記蓄電池とを電気接続する第二の配線と、上記点灯回路と上記光源端子とを電気接続する第三の配線とを有し、上記第一の配線と、上記第二の配線及び上記第三の配線とは、交差していないことを特徴とする。
【発明の効果】
【０００６】
この発明にかかる照明装置によれば、作業性を高め、電磁ノイズを低減することができる。
【図面の簡単な説明】
【０００７】
【図１】実施の形態１における照明装置１０の外観を示す斜視図。
【図２】実施の形態１における照明装置１０のブロック構成を示す図。
【図３】実施の形態１における照明装置１０内の配置を示す図。
【図４】実施の形態２における照明装置１０内の配置を示す図。
【図５】実施の形態３における照明装置１０内の配置を示す図。
【図６】実施の形態４における照明装置１０内の配置を示す図。
【図７】実施の形態５における照明装置１０内の配置を示す図。
【図８】実施の形態６における照明装置１０内の配置を示す図。
【図９】実施の形態７における照明装置１０内の配置を示す図。
【図１０】実施の形態８における照明装置１０内の配置を示す図。
【図１１】実施の形態９における照明装置１０の外観を示す斜視図。
【図１２】実施の形態９における照明装置１０のブロック構成を示す図。
【図１３】実施の形態９における照明装置１０内の配置を示す図。
【発明を実施するための形態】
【０００８】
実施の形態１．
実施の形態１について、図１〜図３を用いて説明する。
【０００９】
図１は、この実施の形態における照明装置１０の外観を示す斜視図である。
【００１０】
照明装置１０（照明器具）は、ランプ２０を接続して使用される。
ランプ２０（直管形ＬＥＤランプ）は、直管形状を有する。ランプ２０は、光源を内蔵している。光源は、例えばＬＥＤや有機ＥＬなどの固体発光素子であり、直流電力によって発光する。ランプ２０の一方の端には、２つの給電ピンが設けられている。ランプ２０のもう一方の端には、固定ピンが設けられている。給電ピン及び固定ピンが照明装置１０と係合することにより、ランプ２０が照明装置１０に固定される。給電ピンは、照明装置１０と電気接続して、照明装置１０から供給される直流電力を入力する。
【００１１】
照明装置１０は、ランプ２０の形状に合わせて、長尺形状を有する。照明装置１０は、例えば、筐体１４（不図示。図３参照。）と、反射板１１と、２つのソケット１２，１３とを有する。
筐体１４は、照明装置１０の本体であり、長尺形状を有する。筐体１４には、照明装置１０の部品が固定される。
反射板１１は、筐体１４上に配置された部品を覆い、ランプ２０が放射した光を反射する。
ソケット１２は、照明装置１０の一方の端に位置する。ソケット１２は、ランプ２０の固定ピンと係合してランプ２０を固定する。
ソケット１３は、照明装置１０のもう一方の端に位置し、ソケット１２と対向している。ソケット１３は、ランプ２０の給電ピンと係合してランプ２０を固定する。
【００１２】
図２は、この実施の形態における照明装置１０のブロック構成を示す図である。
【００１３】
照明装置１０は、接続されたランプ２０を点灯する。
照明装置１０は、非常点灯機能を有する。外部電源から電力が供給されている場合（正常時）、照明装置１０は、外部電源から供給された電力でランプ２０を点灯しながら、蓄電池を充電する。停電などにより、外部電源からの電力供給が停止した場合（停電時、非常時）照明装置１０は、蓄電池に充電された電力により、ランプ２０を点灯する。
【００１４】
照明装置１０は、例えば、光源端子１３１と、電源端子１５と、蓄電池１６と、非常電源回路１７と、点灯回路１８と、配線１９１〜１９５とを有する。
【００１５】
配線１９１〜１９５は、それぞれ２線の配線である。配線１９１（第一の配線）は、電源端子１５と、非常電源回路１７の端子１７６との間を電気接続している。配線１９２は、非常電源回路１７の端子１７７と点灯回路１８の端子１８７との間を電気接続している。配線１９３は、非常電源回路１７の端子１７８と点灯回路１８の端子１８８との間を電気接続している。配線１９４（第二の配線）は、蓄電池１６と非常電源回路１７の端子１７９との間を電気接続している。配線１９５（第三の配線）は、点灯回路１８の端子１８５と光源端子１３１との間を電気接続している。
配線１９１及び配線１９２は、交流電力を伝達する交流配線である。配線１９３及び配線１９４及び配線１９５は、直流電力を伝達する直流配線である。
【００１６】
光源端子１３１は、ソケット１３に内蔵されている。光源端子１３１は、ランプ２０の給電ピンと電気接続して、ランプ２０に対して直流電力を供給する。
電源端子１５は、外部電源と接続され、接続された外部電源から供給される電力を入力する。外部電源は、例えば商用電源などの交流電源である。
蓄電池１６（二次電池）は、電力を蓄積する。
【００１７】
非常電源回路１７（非常用電源装置）は、外部電源から電力が供給されている場合に、外部電源から供給された電力を点灯回路１８に対して出力するとともに、蓄電池１６を充電する。外部電源からの電力供給が停止した場合、非常電源回路１７は、蓄電池１６に蓄積された電力を、点灯回路１８に対して出力する。非常電源回路１７は、例えば、点検回路１７１と、充電回路１７２と、充電報知回路１７３と、昇圧回路１７４と、４つの端子１７６〜１７９とを有する。
【００１８】
点検回路１７１（点検機能部）は、外部電源からの電力供給が停止したときに照明装置１０が正しく動作するか否かを点検するための回路である。点検回路１７１は、例えば、点検スイッチを有する。点検スイッチは、電源端子１５と、充電回路１７２及び点灯回路１８との間に介在している。点検スイッチは、ブレーク接点を有する。すなわち、点検スイッチは、通常オンであり、外部電源から供給された交流電力は、充電回路１７２及び点灯回路１８に供給される。点検のため、点検スイッチをオフにすると、外部電源から供給された交流電力が、充電回路１７２及び点灯回路１８に供給されなくなり、外部電源からの電力供給が停止した場合と同じ状態になる。
【００１９】
充電回路１７２（充電機能部）は、外部電源から電力が供給されている場合に、蓄電池１６を充電する。
【００２０】
充電報知回路１７３（モニター機能部）は、蓄電池１６が十分に充電されているか否かを報知する。充電報知回路１７３は、例えば、表示部を有する。表示部は、蓄電池１６の充電状態を表示する。
【００２１】
昇圧回路１７４（停電検知機能部、電力切り替え機能部、昇圧機能部）は、外部電源からの電力供給が停止した場合に、蓄電池１６に蓄積された電力を昇圧して、点灯回路１８に対して供給する。昇圧回路１７４は、例えば絶縁形である。これにより、蓄電池１６と点灯回路１８との絶縁が確実になる。
【００２２】
点灯回路１８（光源点灯装置）は、非常電源回路１７から供給された電力を、ランプ２０を点灯する直流電力に変換する。点灯回路１８は、例えば、直流生成回路１８１と、出力設定回路１８２と、定電流回路１８３と、３つの端子１８５，１８７，１８８とを有する。
【００２３】
直流生成回路１８１（直流生成機能部）は、非常電源回路１７から供給された電力を、直流電力に変換する。外部電源から電力が供給されている場合、直流生成回路１８１は、外部電源から供給された交流電力を直流電力に変換する。外部電源からの電力供給が停止している場合、直流生成回路１８１は、昇圧回路１７４から供給された直流電力を、電圧の異なる直流電力に変換する。
【００２４】
出力設定回路１８２（電力変更機能部）は、点灯回路１８がランプ２０に供給する直流電力の電流目標値を設定する。例えば、出力設定回路１８２は、外部電源からの電力供給が停止している場合、外部電源から電力が供給されている場合よりも、小さい電流目標値を設定する。これにより、非常点灯時間を長くすることができる。
【００２５】
定電流回路１８３（電力供給機能部）は、直流生成回路１８１が変換した直流電力を、更に、ランプ２０に供給する直流電力に変換する。定電流回路１８３は、例えばコンバータ回路を有する。定電流回路１８３は、ランプ２０に供給する直流電力の電流値が、出力設定回路１８２が設定した電流目標値と一致するよう、ランプに供給する直流電力を調整する。
【００２６】
図３は、この実施の形態における照明装置１０内の配置を示す図である。
【００２７】
筐体１４は、ほぼ長方形状である。筐体１４の一方の端には、ソケット１２が固定されている。筐体１４のもう一方の端には。ソケット１３が固定されている。ソケット１３は、光源端子１３１を内蔵している。筐体１４は、電源穴１４１を有する。
電源穴１４１は、外部電源からの電源配線３０（供給配線）を筐体１４のなかに引き込むための貫通穴である。電源穴１４１は、ソケット１２の近くに設けられている。
【００２８】
電源端子１５、蓄電池１６、非常電源回路１７及び点灯回路１８は、筐体１４の長手方向に沿って配置されている。配置の順序は、ソケット１２が固定されている側から、ソケット１３が固定されている側へ向けて順に、電源端子１５、非常電源回路１７、点灯回路１８、蓄電池１６の順である。
【００２９】
非常電源回路１７は、長尺形状である。配線１９１を接続する端子１７６は、非常電源回路１７の一方の端に設けられている。また、配線１９２を接続する端子１７７、配線１９３を接続する端子１７８及び配線１９４を接続する端子１７９は、非常電源回路１７のもう一方の端に設けられている。端子１７７、端子１７８及び端子１７９は、例えば、横方向に並んで設けられている。そのうち、端子１７８は、真ん中に設けられ、端子１７７及び端子１７９は、端に設けられている。
【００３０】
点灯回路１８は、長尺形状である。配線１９２を接続する端子１８７及び配線１９３を接続する端子１８８は、点灯回路１８の一方の端に設けられている。また、配線１９５を接続する端子１８５は、点灯回路１８のもう一方の端に設けられている。端子１８７及び端子１８８は、例えば、横方向に並んで設けられている。端子１８７及び端子１８８は、非常電源回路１７において配線１９２を接続する端子１７７及び配線１９３を接続する端子１７８に、対向して設けられている。例えば、非常電源回路１７において、配線１９２を接続する端子１７７が、配線１９３を接続する端子１７８の右側に設けられている場合、点灯回路１８において、配線１９２を接続する端子１８７は、配線１９３を接続する端子１８８の左側に設けられている。
【００３１】
電源端子１５は、電源穴１４１の近くに配置されている。このため、電源穴１４１から筐体１４のなかに引き込まれた電源配線３０を、電源端子１５に接続する作業が容易である。
非常電源回路１７は、電源端子１５の隣に配置されている。このため、電源端子１５と非常電源回路１７とを配線１９１で接続する作業が容易である。
点灯回路１８は、非常電源回路１７の隣に配置されている。また、非常電源回路１７において配線１９２を接続する端子１７７及び配線１９３を接続する端子１７８と、点灯回路１８において配線１９２を接続する端子１８７及び配線１９３を接続する端子１８８とは、対向して設けられている。これにより、配線１９２と配線１９３とが交差することなく、非常電源回路１７と点灯回路１８とを接続でき、非常電源回路１７と点灯回路１８とを配線１９２及び配線１９３で接続する作業が容易である。
蓄電池１６と、非常電源回路１７との間には、点灯回路１８が配置されているが、非常電源回路１７において配線１９２を接続する端子１７７、配線１９３を接続する端子１７８及び配線１９４を接続する端子１７９のなかで、端子１７９が端に設けられているので、点灯回路１８の横を配線１９４を通すことにより、配線１９４が配線１９２及び配線１９３と交差することなく、蓄電池１６と非常電源回路１７とを接続でき、蓄電池１６と非常電源回路１７とを配線１９４で接続する作業が容易である。
点灯回路１８と、ソケット１３との間には、蓄電池１６が配置されているが、蓄電池１６の横を配線１９５を通すことにより、配線１９５が配線１９４と交差することなく、点灯回路１８と光源端子１３１とを接続でき、点灯回路１８と光源端子１３１とを配線１９５で接続する作業が容易である。
【００３２】
外部電源から電力が供給されている場合、電力を伝達する配線は、電源配線３０、配線１９１、配線１９２、配線１９４及び配線１９５であり、配線１９３は、電力を伝達しない。また、配線１９４により伝達される電力は、蓄電池１６を充電する電力なので、比較的小さい電力である。
配線１９２と配線１９４とが最も接近しているのは、非常電源回路１７の端子付近である。配線１９２を接続する端子１７７と、配線１９４を接続する端子１７９との間には、配線１９３を接続する端子１７８があり、配線１９２と配線１９４とは、離れている。
配線１９１と配線１９４とは、非常電源回路１７の長さ離れている。
配線１９２と配線１９５とは、点灯回路１８の長さ離れている。
配線１９１と配線１９５とは、非常電源回路１７の長さと、点灯回路１８の長さと、非常電源回路１７と点灯回路１８との間隔との合計の長さ離れている。
このように、交流電力を伝達する配線１９１及び配線１９２と、直流電力を伝達する配線１９４及び配線１９５とが離れているので、電磁結合によるノイズを少なくすることができる。
【００３３】
交流側配線と直流側配線とをあまり接近させず、交差もさせずに、照明装置１０内での配線を行うことができるので、配線の作業性が高まり、電磁ノイズを少なくすることができる。
【００３４】
なお、非常電源回路１７は、ノイズフィルタを有する構成であってもよい。そうすれば、電磁ノイズを更に少なくすることができる。
また、筐体１４は、配線１９１や配線１９２を配線する経路に沿って、Ｕ字状あるいはＶ字状の溝を有する構成であってもよい。筐体１４の溝の部分を金属で形成すれば、電磁ノイズを更に低減することができる。
【００３５】
実施の形態２．
実施の形態２について、図４を用いて説明する。
なお、実施の形態１と共通する部分については、同一の符号を付し、説明を省略する。
【００３６】
この実施の形態における照明装置１０の外観及びブロック構成は、実施の形態１と同様である。
【００３７】
図４は、この実施の形態における照明装置１０内の配置を示す図である。
【００３８】
回路の配置順は、ソケット１２が固定されている側から、ソケット１３が固定されている側へ向けて順に、電源端子１５、非常電源回路１７、蓄電池１６、点灯回路１８の順である。実施の形態１と比較すると、蓄電池１６と点灯回路１８との順序が逆になっている。
非常電源回路１７において、配線１９２を接続する端子１７７と、配線１９３を接続する端子１７８と、配線１９４を接続する端子１７９との並び順が、実施の形態１と異なり、端子１７９が真ん中に設けられ、端子１７７及び端子１７８が端に設けられている。
それ以外の点は、実施の形態１と同様である。
【００３９】
蓄電池１６は、非常電源回路１７の隣に配置されている。このため、蓄電池１６と非常電源回路１７とを配線１９４で接続する作業が容易である。
点灯回路１８は、ソケット１３の隣に配置されている。このため、点灯回路１８と光源端子１３１とを配線１９５で接続する作業が容易である。
非常電源回路１７と点灯回路１８との間には、蓄電池１６が配置されているが、非常電源回路１７において配線１９２を接続する端子１７７、配線１９３を接続する端子１７８及び配線１９４を接続する端子１７９のなかで、端子１７７及び端子１７８が端に設けられているので、蓄電池１６の横を配線１９２及び配線１９３を通すことにより、配線１９２及び配線１９３が配線１９４と交差することなく、非常電源回路１７と点灯回路１８とを接続できる。また、非常電源回路１７における配線１９２を接続する端子１７７及び配線１９３を接続する端子１７８と、点灯回路１８における配線１９２を接続する端子１８７及び配線１９３をそれぞれ接続する端子１８８とは、対向して設けられているので、配線１９２と配線１９３とが交差することなく、非常電源回路１７と点灯回路１８とを接続できる。これにより、非常電源回路１７と点灯回路１８とを配線１９２及び配線１９３で接続する作業が容易である。
【００４０】
配線１９２と配線１９５とは、点灯回路１８の長さ離れている。
配線１９１と配線１９５とは、非常電源回路１７の長さと、点灯回路１８の長さと、非常電源回路１７と点灯回路１８との間隔との合計の長さ離れている。
このように、交流電力を伝達する配線１９１及び配線１９２と、直流電力を伝達する配線１９５とが離れているので、電磁結合によるノイズを少なくすることができる。特に、非常電源回路１７と点灯回路１８との間隔が、実施の形態１より離れているので、配線１９１と配線１９５との電磁結合によるノイズを更に少なくすることができる。
【００４１】
配線１９１と配線１９４とは、非常電源回路１７の長さ離れている。これにより、配線１９１と配線１９４との電磁結合によるノイズを少なくすることができる。
配線１９２と配線１９４とはあまり離れていないが、配線１９４の長さが、実施の形態１より短いので、配線１９２と配線１９４との電磁結合によるノイズを少なくすることができる。
【００４２】
直流配線のなかでも高い電圧となる光源端子１３１への配線１９５が蓄電池１６から離れているので、電磁ノイズを少なくすることができる。
【００４３】
実施の形態３．
実施の形態３について、図５を用いて説明する。
なお、実施の形態１または実施の形態２と共通する部分については、同一の符号を付し、説明を省略する。
【００４４】
この実施の形態における照明装置１０の外観及びブロック構成は、実施の形態１と同様である。
【００４５】
図５は、この実施の形態における照明装置１０内の配置を示す図である。
【００４６】
回路の配置順は、ソケット１２が固定されている側から、ソケット１３が固定されている側へ向けて順に、電源端子１５、点灯回路１８、非常電源回路１７、蓄電池１６の順である。実施の形態１と比較すると、非常電源回路１７と点灯回路１８との順序が逆になっている。
非常電源回路１７において、配線１９２を接続する端子１７７と、配線１９３を接続する端子１７８とは、配線１９４を接続する端子１７９と同じ側ではなく、配線１９１を接続する端子１７６と同じ側に設けられている。端子１７６、端子１７７及び端子１７８のうちでは、端子１７７が真ん中に設けられ、端子１７６及び端子１７８が端に設けられている。
点灯回路１８において、配線１９２を接続する端子１８７と、配線１９３を接続する端子１８８と、配線１９５を接続する端子１８５とは、すべて同じ側に設けられている。端子１８７、端子１８８及び端子１８５のうちでは、端子１８８が真ん中に設けられ、端子１８７及び端子１８５が端に設けられている。
端子１７７及び端子１７８と、端子１８７及び端子１８８とは、対向して設けられている。例えば、端子１７８が端子１７７の右側に設けられている場合、端子１８８は、端子１８７の左側に設けられている。
それ以外の点は、実施の形態１と同様である。
【００４７】
電源端子１５と、非常電源回路１７との間には、点灯回路１８が配置されているが、非常電源回路１７において配線１９１を接続する端子１７６、配線１９２を接続する端子１７７及び配線１９３を接続する端子１７８のなかで、端子１７６が端に設けられているので、点灯回路１８の横を配線１９１を通すことにより、配線１９１が配線１９２及び配線１９３と交差することなく、電源端子１５と非常電源回路１７とを接続でき、電源端子１５と非常電源回路１７とを配線１９１で接続する作業が容易である。
蓄電池１６は、非常電源回路１７の隣に配置されている。このため、蓄電池１６と非常電源回路１７とを配線１９４で接続する作業が容易である。
点灯回路１８は、非常電源回路１７の隣に配置されている。また、非常電源回路１７における配線１９２を接続する端子１７７及び配線１９３を接続する端子１７８と、点灯回路１８における配線１９２を接続する端子１８７及び配線１９３をそれぞれ接続する端子１８８とは、対向して設けられている。これにより、配線１９２と配線１９３とが交差することなく、非常電源回路１７と点灯回路１８とを接続でき、非常電源回路１７と点灯回路１８とを配線１９２及び配線１９３で接続する作業が容易である。
点灯回路１８と、ソケット１３との間には、非常電源回路１７及び蓄電池１６が配置されているが、点灯回路１８において、配線１９２を接続する端子１８７、配線１９３を接続する端子１８８及び配線１９５を接続する端子１８５のなかで、端子１８５が端に設けられているので、非常電源回路１７及び蓄電池１６の横を配線１９５を通すことにより、配線１９５が配線１９２、配線１９３及び配線１９４と交差することなく、点灯回路１８と光源端子１３１とを接続でき、点灯回路１８と光源端子１３１とを配線１９５で接続する作業が容易である。
【００４８】
配線１９１及び配線１９２と配線１９４とは、非常電源回路１７の長さ離れている。
配線１９２と配線１９５とが最も接近しているのは、点灯回路１８の端子付近である。配線１９２を接続する端子１８７と、配線１９５を接続する端子１８５との間には、配線１９３を接続する端子１８８があり、配線１９２と配線１９５とは、離れている。
配線１９１と配線１９５との間には、配線１９２及び配線１９３があり、配線１９１と配線１９５とは、離れている。
このように、交流電力を伝達する配線１９１及び配線１９２と、直流電力を伝達する配線１９４及び配線１９５とが離れているので、電磁結合によるノイズを少なくすることができる。
【００４９】
交流配線は、照明装置１０のほぼ中央までであり、直流配線とは距離が離れているので、電磁ノイズが光源端子１３１への配線１９５から交流配線に重畳するのを少なくすることができる。
【００５０】
実施の形態４．
実施の形態４について、図６を用いて説明する。
なお、実施の形態１〜実施の形態３と共通する部分については、同一の符号を付し、説明を省略する。
【００５１】
この実施の形態における照明装置１０の外観及びブロック構成は、実施の形態１と同様である。
【００５２】
図６は、この実施の形態における照明装置１０内の配置を示す図である。
【００５３】
電源穴１４１は、ソケット１２の近くではなく、筐体１４のほぼ中央に設けられている。
蓄電池１６は、ソケット１２の近くに配置されている。
電源端子１５は、電源穴１４１の近くに配置されている。
非常電源回路１７は、電源穴１４１とソケット１３との間に配置されている。
点灯回路１８は、ソケット１３の近くに配置されている。
回路の配置順は、ソケット１２が固定されている側から、ソケット１３が固定されている側へ向けて順に、蓄電池１６、電源端子１５、非常電源回路１７、点灯回路１８の順である。
それ以外の点は、実施の形態１と同様である。
【００５４】
非常電源回路１７は、電源端子１５の隣に配置されている。このため、電源端子１５と非常電源回路１７とを配線１９１で接続する作業が容易である。
点灯回路１８は、非常電源回路１７の隣に配置されている。また、非常電源回路１７における配線１９２を接続する端子１７７及び配線１９３を接続する端子１７８と、点灯回路１８における配線１９２を接続する端子１８７及び配線１９３をそれぞれ接続する端子１８８とは、対向して設けられている。これにより、配線１９２と配線１９３とが交差することなく、非常電源回路１７と点灯回路１８とを接続でき、非常電源回路１７と点灯回路１８とを配線１９２及び配線１９３で接続する作業が容易である。
また、点灯回路１８は、ソケット１３の隣に配置されている。このため、点灯回路１８と光源端子１３１とを配線１９５で接続する作業が容易である。
【００５５】
配線１９２を接続する端子１７７と、配線１９４を接続する端子１７９との間には、配線１９３を接続する端子１７８があるので、配線１９２と配線１９４とは、離れている。
また、配線１９１と配線１９４とは、離れている。
配線１９２と配線１９５とは、点灯回路１８の長さ離れている。
配線１９１と配線１９５とは、非常電源回路１７の長さと、点灯回路１８の長さと、非常電源回路１７と点灯回路１８との間隔との合計の長さ離れている。
このように、交流電力を伝達する配線１９１及び配線１９２と、直流電力を伝達する配線１９４及び配線１９５とが離れているので、電磁結合によるノイズを少なくすることができる。特に、配線１９５の長さが、実施の形態１より短いので、配線１９１及び配線１９２と、配線１９５との電磁結合によるノイズを更に少なくすることができる。
また、蓄電池１６を、非常電源回路１７や点灯回路１８などの発熱する回路から離して配置しているので、蓄電池１６の寿命を長くすることができる。
【００５６】
直流配線のなかでも高い電圧となる光源端子１３１への配線１９５が短いので、電磁ノイズが配線１９５から交流配線に重畳するのを少なくすることができる。また、配線が短くて済むので、配線の作業性を高めることができる。
【００５７】
実施の形態５．
実施の形態５について、図７を用いて説明する。
なお、実施の形態１〜実施の形態４と共通する部分については、同一の符号を付し、説明を省略する。
【００５８】
この実施の形態における照明装置１０の外観及びブロック構成は、実施の形態１と同様である。
【００５９】
図７は、この実施の形態における照明装置１０内の配置を示す図である。
【００６０】
筐体１４は、２つの取り付け穴１４２，１４３を有する。
取り付け穴１４２，１４３は、照明装置１０を天井面などに固定するボルトなどの固定具を通すための貫通穴である。２つの取り付け穴１４２，１４３は、筐体１４の長手方向に離れて設けられている。取り付け穴１４２は、筐体１４の長手方向のほぼ中心軸上、ソケット１２の側に近い約４分の１ほどの位置に設けられている。取り付け穴１４３は、筐体１４の長手方向のほぼ中心軸上、ソケット１３の側に近い約４分の１ほどの位置に設けられている。
電源穴１４１は、取り付け穴１４２と取り付け穴１４３との間に設けられている。電源穴１４１は、筐体１４の中央ではなく、取り付け穴１４２に近い位置に設けられている。
回路の配置順は、実施の形態４と同様である。電源端子１５、非常電源回路１７及び点灯回路１８は、２つの取り付け穴１４２，１４３の間に配置されている。蓄電池１６は、２つの取り付け穴１４２，１４３の間ではない外側、ソケット１２の近くに配置されている。
それ以外の点は、実施の形態１と同様である。
【００６１】
蓄電池１６を、非常電源回路１７や点灯回路１８などの発熱する回路から離して配置しているので、蓄電池１６の寿命を長くすることができる。
また、取り付け穴１４２の近くには、配線１９４以外の配線はなく、取り付け穴１４３の近くには、配線１９５以外の配線はない。このため、照明装置１０を天井面などに固定する作業が容易である。
【００６２】
点灯回路１８と蓄電池１６とが離れているので、点灯回路１８の発熱に対して蓄電池１６の温度を低くすることができる。また、交流配線が短いので、配線の作業性を高めることができる。
【００６３】
実施の形態６．
実施の形態６について、図８を用いて説明する。
なお、実施の形態１〜実施の形態５と共通する部分については、同一の符号を付し、説明を省略する。
【００６４】
この実施の形態における照明装置１０の外観及びブロック構成は、実施の形態１と同様である。
【００６５】
図８は、この実施の形態における照明装置１０内の配置を示す図である。
【００６６】
回路の配置順は、実施の形態１と同様である。電源端子１５、非常電源回路１７及び点灯回路１８は、２つの取り付け穴１４２，１４３の間に配置されている。蓄電池１６は、２つの取り付け穴１４２，１４３の間ではない外側、ソケット１３の近くに配置されている。
それ以外の点は、実施の形態５と同様である。
【００６７】
交流電力を伝達する配線１９１及び配線１９２と、直流電力を伝達する配線１９４及び配線１９５とが離れているので、電磁結合によるノイズを少なくすることができる。
【００６８】
蓄電池１６への配線１９４が電源端子１５の近傍を通らないので、電磁ノイズを少なくすることができる。また、直流配線を非常電源回路１７に対して同じ方向に行うので、配線の作業性を高めることができる。
【００６９】
実施の形態７．
実施の形態７について、図９を用いて説明する。
なお、実施の形態１〜実施の形態６と共通する部分については、同一の符号を付し、説明を省略する。
【００７０】
この実施の形態における照明装置１０の外観及びブロック構成は、実施の形態１と同様である。
【００７１】
図９は、この実施の形態における照明装置１０内の配置を示す図である。
【００７２】
電源装置１９（常時・非常時電源装置）は、非常電源回路１７と、点灯回路１８とを内蔵している。非常電源回路１７と点灯回路１８とは、電源装置１９のなかで電気接続しているので、配線１９２及び配線１９３を接続する必要はない。電源装置１９は、長尺形状である。
配線１９１を接続する非常電源回路１７の端子１７６は、電源装置１９の一方の端に設けられている。配線１９４を接続する非常電源回路１７の端子１７９及び配線１９５を接続する点灯回路１８の端子１８５は、電源装置１９のもう一方の端に設けられている。
回路の配置順は、ソケット１２が固定されている側から、ソケット１３が固定されている側へ向けて順に、電源端子１５、電源装置１９、蓄電池１６の順である。
それ以外の点は、実施の形態１と同様である。
【００７３】
非常電源回路１７と点灯回路１８とが一体化しているので、配線が少なくなり、配線を接続する作業が容易である。
また、交流電力を伝達する配線１９１と、直流電力を伝達する配線１９４及び配線１９５とが離れているので、電磁結合によるノイズを少なくすることができる。
【００７４】
配線が少ないので、配線の作業性が高めることができる。発熱の大きい電源装置１９から蓄電池１６が離れているので、蓄電池１６の温度を低くすることができる。電源穴１４１に対して、左右の重量のバランスが良い。
【００７５】
実施の形態８．
実施の形態８について、図１０を用いて説明する。
なお、実施の形態１〜実施の形態７と共通する部分については、同一の符号を付し、説明を省略する。
【００７６】
この実施の形態における照明装置１０の外観及びブロック構成は、実施の形態１と同様である。
【００７７】
図１０は、この実施の形態における照明装置１０内の配置を示す図である。
【００７８】
電源装置１９は、実施の形態７と同様、非常電源回路１７と点灯回路１８とを内蔵している。非常電源回路１７と点灯回路１８とは、電源装置１９のなかで電気接続しているので、配線１９２及び配線１９３を接続する必要はない。電源装置１９は、長尺形状である。
配線１９１を接続する非常電源回路１７の端子１７６及び配線１９４を接続する非常電源回路１７の端子１７９は、電源装置１９の一方の端に設けられている。配線１９５を接続する点灯回路１８の端子１８５は、電源装置１９のもう一方の端に設けられている。
回路の配置順は、ソケット１２が固定されている側から、ソケット１３が固定されている側へ向けて順に、蓄電池１６、電源端子１５、電源装置１９の順である。
それ以外の点は、実施の形態４と同様である。
【００７９】
非常電源回路１７と点灯回路１８とが一体化しているので、配線が少なくなり、配線を接続する作業が容易である。
また、交流電力を伝達する配線１９１と、直流電力を伝達する配線１９５とが離れているので、電磁結合によるノイズを少なくすることができる。
【００８０】
実施の形態９．
実施の形態９について、図１１〜図１３を用いて説明する。
なお、実施の形態１〜実施の形態８と共通する部分については、同一の符号を付し、説明を省略する。
【００８１】
図１１は、この実施の形態における照明装置１０の外観を示す斜視図である。
【００８２】
照明装置１０は、２つのランプ２０ａ，２０ｂを接続して使用される。
ランプ２０ａ，２０ｂは、実施の形態１で説明したランプ２０と同様である。
【００８３】
照明装置１０は、長尺形状である。照明装置１０は、筐体１４（不図示）と、反射板１１と、４つのソケット１２ａ，１２ｂ，１３ａ，１３ｂとを有する。
筐体１４及び反射板１１は、実施の形態と同様である。
ソケット１２ａ及びソケット１３ｂは、照明装置１０の一方の端に位置する。ソケット１２ｂ及びソケット１３ａは、照明装置１０のもう一方の端に位置する。
ソケット１２ａは、ランプ２０ａの固定ピンと係合してランプ２０ａを固定する。
ソケット１３ａは、ソケット１２ａと対向している。ソケット１３ａは、ランプ２０ａの給電ピンと係合してランプ２０ａを固定する。
ソケット１２ｂは、ランプ２０ｂの固定ピンと係合してランプ２０ｂを固定する。
ソケット１３ｂは、ソケット１２ｂと対向している。ソケット１３ｂは、ランプ２０ｂの給電ピンと係合してランプ２０ｂを固定する。
これにより、ランプ２０ａとランプ２０ｂとは、互いに平行に固定される。
【００８４】
図１２は、この実施の形態における照明装置１０のブロック構成を示す図である。
【００８５】
照明装置１０は、接続された２つのランプ２０ａ，２０ｂを点灯する。
照明装置１０は、非常点灯機能を有する。外部電源から電力が供給されている場合、照明装置１０は、外部電源から供給された電力でランプ２０ａ及びランプ２０ｂを点灯しながら、蓄電池１６を充電する。停電などにより、外部電源からの電力供給が停止した場合、照明装置１０は、蓄電池１６に充電された電力により、ランプ２０ｂを点灯する。
【００８６】
照明装置１０は、例えば、２つの光源端子１３１ａ，１３１ｂと、電源端子１５と、蓄電池１６と、非常電源回路１７と、２つの点灯回路１８ａ，１８ｂと、配線１９１，１９２ａ，１９２ｂ，１９３，１９４，１９５ａ，１９５ｂとを有する。
【００８７】
配線１９１〜１９５は、それぞれ２線の配線である。配線１９１は、電源端子１５と、非常電源回路１７の端子１７６との間を電気接続している。配線１９２ａは、非常電源回路１７の端子１７７ａと点灯回路１８ａの端子１８７ａとの間を電気接続している。配線１９２ｂは、非常電源回路１７の端子１７７ｂと点灯回路１８ｂの端子１８７ｂとの間を電気接続している。配線１９３は、非常電源回路１７の端子１７８と点灯回路１８ｂの端子１８８ｂとの間を電気接続している。配線１９４は、蓄電池１６と非常電源回路１７の端子１７９との間を電気接続している。配線１９５ａは、点灯回路１８ａの端子１８５ａと光源端子１３１ａとの間を電気接続している。配線１９５ｂは、点灯回路１８ｂの端子１８５ｂと光源端子１３１ｂとの間を電気接続している。
配線１９１、配線１９２ａ及び配線１９２ｂは、交流電力を伝達する。配線１９３及び配線１９４及び配線１９５は、直流電力を伝達する。
【００８８】
光源端子１３１ａは、ソケット１３ａに内蔵されている。光源端子１３１ａは、ランプ２０ａの給電ピンと電気接続して、ランプ２０ａに対して直流電力を供給する。
光源端子１３１ｂは、ソケット１３ｂに内蔵されている。光源端子１３１ｂは、ランプ２０ｂの給電ピンと電気接続して、ランプ２０ｂに対して直流電力を供給する。
【００８９】
非常電源回路１７は、外部電源から電力が供給されている場合に、外部電源から供給された電力を点灯回路１８ａ及び点灯回路１８ｂに対して出力するとともに、蓄電池１６を充電する。外部電源からの電力供給が停止した場合、非常電源回路１７は、蓄電池１６に蓄積された電力を、点灯回路１８ｂに対して出力する。非常電源回路１７は、例えば、点検回路１７１と、充電回路１７２と、充電報知回路１７３と、昇圧回路１７４と、５つの端子１７６，１７７，１７８ａ，１７８ｂ，１７９とを有する。
【００９０】
点灯回路１８ａは、非常電源回路１７から供給された電力を、ランプ２０ａを点灯する直流電力に変換する。点灯回路１８ａは、例えば、直流生成回路１８１ａと、出力設定回路１８２ａと、定電流回路１８３ａと、２つの端子１８５ａ，１８７ａとを有する。
点灯回路１８ｂは、非常電源回路１７から供給された電力を、ランプ２０ｂを点灯する直流電力に変換する。点灯回路１８ｂは、例えば、直流生成回路１８１ｂと、出力設定回路１８２ｂと、定電流回路１８３ｂと、３つの端子１８５ｂ，１８７ｂ，１８８ｂとを有する。
【００９１】
それ以外の点は、実施の形態１と同様である。
【００９２】
図１３は、この実施の形態における照明装置１０内の配置を示す図である。
【００９３】
筐体１４は、ほぼ長方形状である。筐体１４の一方の端には、ソケット１３ａ及びソケット１２ｂが固定されている。筐体１４のもう一方の端には、ソケット１２ａ及びソケット１３ｂが固定されている。ソケット１３ａは、光源端子１３１ａを内蔵している。ソケット１３ｂは、光源端子１３１ｂを内蔵している。筐体１４は、電源穴１４１を有する。
電源穴１４１は、外部電源からの電源配線３０を筐体１４のなかに引き込むための貫通穴である。電源穴１４１は、筐体１４のほぼ中央に設けられている。
【００９４】
電源端子１５、蓄電池１６、非常電源回路１７、点灯回路１８ａ及び点灯回路１８ｂは、筐体１４の長手方向に沿って配置されている。配置の順序は、ソケット１３ａ及びソケット１２ｂが固定されている側から、ソケット１２ａ及びソケット１３ｂが固定されている側へ向けて順に、点灯回路１８ａ、蓄電池１６、電源端子１５、非常電源回路１７、点灯回路１８ｂの順である。
【００９５】
非常電源回路１７は、長尺形状である。配線１９１を接続する端子１７６は、非常電源回路１７の一方の端に設けられている。また、配線１９２ａを接続する端子１７７ａ、配線１９２ｂを接続する端子１７７ｂ、配線１９３を接続する端子１７８及び配線１９４を接続する端子１７９は、非常電源回路１７のもう一方の端に設けられている。端子１７７ａ、端子１７７ｂ、端子１７８及び端子１７９は、例えば、横方向に並んで設けられている。端子の並び順は、例えば、端子１７７ａ、端子１７７ｂ、端子１７８、端子１７９の順である。
【００９６】
点灯回路１８ａは、長尺形状である。配線１９２ａを接続する端子１８７ａは、点灯回路１８ａの一方の端に設けられている。配線１９５ａを接続する端子１８５ａは、点灯回路１８ａのもう一方の端に設けられている。
【００９７】
点灯回路１８ｂは、長尺形状である。配線１９２ｂを接続する端子１８７ｂ及び配線１９３を接続する端子１８８ｂは、点灯回路１８ｂの一方の端に設けられている。また、配線１９５ｂを接続する端子１８５ｂは、点灯回路１８ｂのもう一方の端に設けられている。端子１８７ｂ及び端子１８８ｂは、例えば、横方向に並んで設けられている。端子１８７ｂ及び端子１８８ｂは、非常電源回路１７において配線１９２ｂを接続する端子１７７ｂ及び配線１９３を接続する端子１７８ｂに、対向して設けられている。例えば、非常電源回路１７において、配線１９２ｂを接続する端子１７７ｂが、配線１９３を接続する端子１７８ｂの右側に設けられている場合、点灯回路１８ｂにおいて、配線１９２ｂを接続する端子１８７ｂは、配線１９３を接続する端子１８８ｂの左側に設けられている。
【００９８】
電源端子１５は、電源穴１４１の近くに配置されている。このため、電源穴１４１から筐体１４のなかに引き込まれた電源配線３０を、電源端子１５に接続する作業が容易である。
非常電源回路１７は、電源端子１５の隣に配置されている。このため、電源端子１５と非常電源回路１７とを配線１９１で接続する作業が容易である。
点灯回路１８ｂは、非常電源回路１７の隣に配置されている。また、非常電源回路１７において配線１９２ｂを接続する端子１７７ｂ及び配線１９３を接続する端子１７８と、点灯回路１８ｂにおいて配線１９２ｂを接続する端子１８７ｂ及び配線１９３を接続する端子１８８ｂとは、対向して設けられている。これにより、配線１９２ｂと配線１９３とが交差することなく、非常電源回路１７と点灯回路１８ｂとを接続でき、非常電源回路１７と点灯回路１８ｂとを配線１９２ｂ及び配線１９３で接続する作業が容易である。
また、点灯回路１８ｂは、ソケット１３ｂの隣に配置されている。このため、点灯回路１８ｂと光源端子１３１ｂとを配線１９５ｂで接続する作業が容易である。
点灯回路１８ａは、ソケット１３ａの隣に配置されている。このため、点灯回路１８ａと光源端子１３１ａとを配線１９５ａで接続する作業が容易である。
点灯回路１８ａと、非常電源回路１７との間には、蓄電池１６及び電源端子１５が配置されているが、非常電源回路１７において配線１９２ａを接続する端子１７７ａ、配線１９２ｂを接続する端子１７７ｂ、配線１９３を接続する端子１７８及び配線１９４を接続する端子１７９のなかで、端子１７７ａが端に設けられているので、蓄電池１６及び電源端子１５の横を配線１９２ａを通すことにより、配線１９２ａが他の配線と交差することなく、非常電源回路１７と点灯回路１８ａとを接続できる。これにより、非常電源回路１７と点灯回路１８ａとを配線１９２ａで接続する作業が容易である。
【００９９】
また、交流電力を伝達する配線１９１、配線１９２ａ及び配線１９２ｂと、直流電力を伝達する配線１９４、配線１９５ａ及び配線１９５ｂとが離れているので、電磁結合によるノイズを少なくすることができる。
【０１００】
また、蓄電池１６を、非常電源回路１７や点灯回路１８ａや点灯回路１８ｂなどの発熱する回路から離して配置しているので、蓄電池１６の寿命を長くすることができる。
【０１０１】
直流配線のなかでも高い電圧となる光源端子１３１ａ，１３１ｂへの配線１９５ａ，１９５ｂが短いので、電磁ノイズを少なくすることができる。また、発熱の大きい点灯回路１８ａ，１８ｂから蓄電池１６が離れているので、蓄電池１６の温度を低くすることができる。
【０１０２】
以上説明した照明装置１０によれば、ランプ２０を通常時と非常時とで共用し、かつ、点灯回路１８を通常時と非常時とで共用し、回路を適正に配置し、配線の作業性を高め、電磁ノイズを低減することができる。
【０１０３】
以上、各実施の形態で説明した構成は、一例であり、他の構成であってもよい。例えば、異なる実施の形態で説明した構成を矛盾しない範囲で組み合わせた構成であってもよいし、本質的でない部分の構成を、他の構成で置き換えた構成であってもよい。
【符号の説明】
【０１０４】
１０  照明装置、１１  反射板、１２，１３  ソケット、１３１  光源端子、１４  筐体、１４１  電源穴、１４２，１４３  取り付け穴、１５  電源端子、１６  蓄電池、１７  非常電源回路、１７１  点検回路、１７２  充電回路、１７３  充電報知回路、１７４  昇圧回路、１７６〜１７９，１８５，１８７，１８８  端子、１８  点灯回路、１８１  直流生成回路、１８２  出力設定回路、１８３  定電流回路、１９  電源装置、１９１〜１９５  配線、２０  ランプ、３０  電源配線。
【図１】
2014096246.tif 000003
【図２】
2014096246.tif 000004
【図３】
2014096246.tif 000005
【図４】
2014096246.tif 000006
【図５】
2014096246.tif 000007
【図６】
2014096246.tif 000008
【図７】
2014096246.tif 000009
【図８】
2014096246.tif 000010
【図９】
2014096246.tif 000011
【図１０】
2014096246.tif 000012
【図１１】
2014096246.tif 000013
【図１２】
2014096246.tif 000014
【図１３】
2014096246.tif 000015